(57)【要約】【課題】長時間にわたって安定で確実な電磁遮蔽効果のある回路基板モジュール、回路基板収容体、それに用いられる電磁シールド板を提供する。【解決手段】電磁シールド板を導電性を有する電磁遮蔽部材とその端部に設けた導電性を有するフロントパネルで構成し、フロントパネルを接地された筐体に電気的導通を確保して固定することによって確実に電磁シールド板を接地するとともに、筐体の基板挿入用開口部を密閉して、回路基板間の電磁遮蔽及び回路基板と筐体外部の電磁遮蔽を行うようにした。【選択図】図１
2004363581.tif 000002
【特許請求の範囲】
【請求項１】
回路基板を保持するガイドレールと筐体とを有する回路基板収容体と、前記複数の回路基板の間に交互に配置される複数の電磁シールド板とを備えたことを特徴とする回路基板モジュール。
【請求項２】
請求項１において、前記ガイドレールは前記筐体の内壁に設けられたことを特徴とする回路基板モジュール。
【請求項３】
請求項１において、前記筐体は、上壁、底壁、一対の側壁、バックボードにより矩形空間を形成していることを特徴とする回路基板モジュール。
【請求項４】
請求項３において、前記バックボードには、前記回路基板を接続するコネクタが設けられ、前記ガイドレールに沿って該回路基板が挿入され、該コネクタと接続されることを特徴とする回路基板モジュール。
【請求項５】
請求項３において、前記電磁シールド板は前記バックボードに取付けられた回路基板の両隣に該回路基板を挟むようにガイドレールに沿って挿入されることを特徴とする回路基板モジュール。
【請求項６】
請求項１において、前記電磁シールド板は導電性を有する電磁遮蔽部材およびフロントパネルとから構成されることを特徴とする回路基板モジュール。
【請求項７】
請求項６において、前記電磁シールド板は、前記フロントパネルを介して前記電磁遮蔽部材と前記筐体とが電気的導通を確保して固定されることを特徴とする回路基板モジュール。
【請求項８】
請求項６において、前記電磁遮蔽部材は、遮蔽すべき電磁ノイズの波長の１／４以下の長さの複数の開口部を備えたことを特徴とする回路基板モジュール。
【請求項９】
請求項６において、前記電磁遮蔽部材は導電性を有するメッキが施されていることを特徴とする回路基板モジュール。
【請求項１０】
請求項６において、前記電磁遮蔽部材は電磁遮蔽シートが貼り付けられていることを特徴とする回路基板モジュール。
【請求項１１】
複数の回路基板を保持する第一のガイドレールと筐体とを有する回路基板収容体であって、前記回路基板の間に交互に複数の電磁シールド板が配置される第二のガイドレールを備えたことを特徴とする回路基板収容体。
【請求項１２】
請求項１１において、前記第一のガイドレールおよび第二のガイドレールは前記筐体の内壁に設けられたことを特徴とする回路基板収容体。
【請求項１３】
請求項１１において、前記筐体は、上壁、底壁、一対の側壁、バックボードにより矩形空間を形成していることを特徴とする回路基板収容体。
【請求項１４】
請求項１３において、前記バックボードには、前記回路基板を接続するコネクタが設けられ、前記第一のガイドレールに沿って該回路基板が挿入され、該コネクタと接続されることを特徴とする回路基板収容体。
【請求項１５】
請求項１３において、前記電磁シールド板は前記バックボードに取付けられた回路基板の両隣に該回路基板を挟むように前記第二のガイドレールに沿って挿入されることを特徴とする回路基板収容体。
【請求項１６】
請求項１１において、前記電磁シールド板は電磁遮蔽部材とフロントパネルとを有し、該フロントパネルを介して前記電磁遮蔽部材と前記筐体とが電気的導通を確保して固定されることを特徴とする回路基板収容体。
【請求項１７】
導電性を有する電磁遮蔽部材と、該電磁遮蔽部材の端部に設けた導電性を有するフロントパネルとから構成されることを特徴とする電磁シールド板。
【請求項１８】
請求項１７において、前記電磁遮蔽部材は、遮蔽すべき電磁ノイズの波長の１／４以下の長さの開口部を複数個設けられていることを特徴とする電磁シールド板。
【請求項１９】
請求項１７において、前記電磁遮蔽部材は、導電性を有するメッキ処理を施された板状部材であることを特徴とする電磁シールド板。
【請求項２０】
請求項１７において、前記電磁遮蔽部材は、導電性を有するシートを貼り付けられた板状部材であることを特徴とする電磁シールド板。
【発明の詳細な説明】
【技術分野】
【０００１】
本発明は、回路基板を筐体の中に並列に複数搭載可能な回路基板収容体、回路基板を複数搭載した回路基板モジュール、および回路基板を電磁波からシールドするための電磁シールド板に関する。
【背景技術】
【０００２】
回路基板の電磁シールドに関する技術の例として、回路基板筐体の前面に電磁シールド板を設けた構成が知られているが、筐体内部の複数の基板間の電磁シールドについては考慮されていない（例えば、特許文献１参照）。
【０００３】
また、回路基板間の電磁ノイズの遮蔽を目的として、回路基板の下部にスペーサを介して平行に導電性を有する板状部材を取付けた構成が知られている（例えば、特許文献２参照）。この構成では、導電性のガイドレールを介して電磁遮蔽部材と筐体を電気的に接続しているため、絶縁性のガイドレールで構成されているようなＶＭＥ（Ｖｅｒｓａ  Ｍｏｄｕｌｅ  Ｅｕｒｏｐｅ、ＩＥＥＥの規格）等の規格に準拠した筐体では、導電性のガイドレールへの交換や板状部材とガイドレールを電気的に導通させるためのシールドフィンガと呼ばれる爪を設けなくてはならないため、適用が困難で高価になるといった問題があった。また、このとき板状部材と接地された筐体との電気的接続をシールドフィンガとの接触に依存しているため、板状部材の導通が不安定になる惧れがあり、長期間にわたる安定性の面で問題があった。また、一般に市販されているＶＭＥ等の規格に準拠した筐体のスロットに搭載する回路基板に対しても、板状部材を固定するスペーサを取付ける穴を開ける改造をしなければならず、さらに高価になるといった問題もあった。
【０００４】
【特許文献１】特開平３−８８３９６号公報
【０００５】
【特許文献２】特開平８−２５０８８６号公報
【発明の開示】
【発明が解決しようとする課題】
【０００６】
本発明の目的は、長時間にわたって安定で確実な電磁遮蔽効果のある回路基板モジュール、回路基板収容体、およびそれに用いられる電磁シールド板を提供することにある。
【課題を解決するための手段】
【０００７】
上記目的を達成するために、本発明の実施例は、回路基板を保持するガイドレールと筐体とを有する回路基板収容体と、複数の回路基板の間に交互に配置される複数の電磁シールド板とを備えたものである。
【０００８】
また、電磁シールド板を導電性を有する電磁遮蔽部材とその端部に設けた導電性を有するフロントパネルで構成し、フロントパネルを接地された筐体に電気的導通を確保して固定することによって確実に電磁シールド板を接地するとともに、筐体の基板挿入用開口部を密閉して、回路基板間の電磁遮蔽及び回路基板と筐体外部の電磁遮蔽を行うようにしたものである。
【発明の効果】
【０００９】
本発明によれば、長時間にわたって安定で確実な電磁遮蔽効果のある回路基板モジュール、回路基板収容体、および電磁シールド板を提供することができる。
【発明を実施するための最良の形態】
【００１０】
以下、本発明の第一の実施例を説明する。図１は電磁シールド板の斜視図、図２は回路基板収容体の斜視図である。
【００１１】
電磁シールド板４は、図１に示すように、電磁遮蔽部材１とこの電磁遮蔽部材１の端部に取付けた導電性を有するフロントパネル３から構成される。このフロントパネル３は、回路基板７への電磁ノイズの入射や回路基板７からの電磁ノイズの放射を防ぐ効果と補強のために設けている。また、フロントパネル３を電磁遮蔽部材１に取付けるための取付金具１４には導電性を有するものを使用し、電磁遮蔽部材１とフロントパネル３が電気的に導通する構成としている。また、フロントパネル３の上下にハンドル２を設けており、図２に示す筐体６への挿抜が容易に行えるようにしている。２はハンドルで、電磁シールド板４を取り扱うためのものである。
【００１２】
図２において、回路基板収容体は、筐体６と上壁と底壁と２つの側壁とバックボード８とを有し、矩形の空間が形成されている。筐体６は、回路基板７を並列に搭載する金属箱であり後部にはバックボード８が接続されている。バックボード８には、配線パターンが形成されており、回路基板７を接続するためのコネクタが設けられている。回路基板７は、基板上に電子部品による電気回路を構成しており、後端にはバックボード８との接続用のコネクタが設けられてある。筐体６内部の上下部には回路基板７の挿入案内用のガイドレール９が対向して取付けられており、このガイドレール９に沿って回路基板を挿入することによってバックボード８のコネクタと回路基板７のコネクタが電気的に接続される。図２のように電磁ノイズの発生源または影響を受けやすい回路基板７の両隣の基板スロットに、回路基板７を挟むように電磁シールド板５をガイドレール９に沿って挿入する。電磁シールド板４挿入後は、フロントパネル３を筐体６にねじ止めで固定する。このように、回路基板収容体に複数の回路基板と複数の電磁シールド板を取付けることにより、回路基板モジュールを構成する。
【００１３】
本実施例によれば、電磁シールド板５にフロントパネル３を設け、フロントパネル３を筐体６にねじ止めで固定することによって、電磁シールド板４が接地された筐体６に電気的に確実に接続されるため、長期間にわたって安定で確実な電磁遮蔽効果を得ることができる。また、フロントパネル３が接地されることから、基板挿入用開口部を通して回路基板７に入射する電磁ノイズおよび回路基板７から放射される電磁ノイズを遮蔽する効果が得られる。なお、ねじ止めによる固定方法は、固定と電気的導通の両方の目的で使用したが、リベット、クリップ等、これらの目的を達成できる固定方法であれば、ねじ止めでなくてもよい。
【００１４】
また、フロントパネルを介して電磁シールド板５が接地されることから、電磁ノイズの干渉が懸念される高周波数のクロックを扱うような演算素子などを搭載した基板間のスロットに電磁シールド板４を挿入することによって、回路基板上から放射される電磁ノイズを遮蔽することが可能である。
【００１５】
さらに、フロントパネルを介して電磁シールド板５が接地されることから、市販のＶＭＥ等の規格に準拠した筐体のような絶縁性のガイドレール９を用いている場合にも適用可能であり、導電性を有するガイドレールへの交換等の改造が不要になるため安価で容易に適用することができる。
【００１６】
さらに、単独で電磁シールド板５の挿抜が可能な構成であることから、回路基板の測定や調整または修理等のメンテナンス性に優れるといった効果が得られる。また、回路基板間に複数枚の電磁シールド板５を追加すれば、より高い電磁遮蔽効果を得ることが可能である。
【００１７】
さらに、単独で電磁シールド板５の挿抜が可能な構成であることから、設計当初電磁ノイズの遮蔽が考慮されていなかった場合においても、空きスロットに電磁シールド板５を追加することによって、電磁遮蔽効果を得ることが可能である。
【００１８】
本発明の第二の実施例を説明する。図３は電磁シールド板の斜視図であって、電磁遮蔽部材として、メッシュ状の穴を設けた板状部材１０を用いている。このとき、メッシュ状の穴のサイズとしては遮蔽すべき電磁ノイズの波長の１／４以下の穴径とする。周知のように金属板に電磁波が入射すると金属板において渦電流が発生する。このとき板状部材１０のようにメッシュ状の穴を多数設けることによって、発生した渦電流を打ち消す作用のため、より高い電磁遮蔽効果が得られる。また、メッシュ状の穴を通して基板上で発生した熱を放出しやすいため、熱による電子部品への影響を軽減することができる。さらに、メッシュ状の穴を多数設けることによって電磁遮蔽部材を軽量にできるという効果がある。
【００１９】
本発明の第三の実施例を説明する。図４は電磁シールド板の斜視図であって、電磁遮蔽部材として、金属メッキ処理を施した金属製または非金属製の板状部材１１を用いている。特に樹脂等の非金属製の板状部材に、例えば銅等の導電率の高い金属メッキ処理を施すことにより、一枚板の金属製の板状部材で構成した電磁シールド板５と同等の電磁ノイズ遮蔽効果を維持したまま、軽量な電磁シールド板５を構成することが可能となる。また、鉄等の透磁率の高い金属製の板状部材に導電率の高い銅等の金属メッキ処理を施すことにより、より効果の大きい電磁遮蔽効果が得られる。
【００２０】
本発明の第四の実施例を説明する。図５は電磁シールド板の斜視図であって、電磁遮蔽部材として、金属メッキ処理を施した金属製または非金属製の板状部材１１に電磁遮蔽シート１２を貼り付けることによって、電磁ノイズ遮蔽効果をもたせることが出来る。この場合電磁遮蔽性能の高い電磁遮蔽シートを用いれば、より高い電磁遮蔽効果が得られる。
【００２１】
また、特に樹脂等の非金属製の板状部材に電磁遮蔽シート１２を貼り付けた場合には、電磁シールド板５を軽量に構成することが可能となる。
【００２２】
上述のように、電磁シールド板にフロントパネルを設け、フロントパネルと筐体をねじ止めすることによって電気的に確実に接続されることから、電磁シールド板を確実に接地することが可能であるため、長時間にわたって安定で確実な電磁遮蔽効果を得ることができる。
【００２３】
また、フロントパネルが接地されることから、基板挿入用開口部からの回路基板への電磁ノイズの入射および回路基板からの電磁ノイズの放射も遮蔽可能となる。さらに、フロントパネルを介して電磁シールド板が接地されることから、絶縁性を有したガイドレールを用いている筐体へも適用が可能であるため、安価でかつ容易に適用することができる。
【００２４】
また、単独で電磁シールド板の挿抜が可能な構成であることから、回路基板の測定や調整または修理等のメンテナンス性についても優れるという効果が得られる。さらに、単独で電磁シールド板の挿抜が可能な構成であることから、設計当初電磁ノイズの遮蔽が考慮されていなかった場合においても、筐体に空きスロットがあれば、その空きスロットに電磁シールド板を追加することによって、電磁遮蔽効果を得ることが可能である。
【図面の簡単な説明】
【００２５】
【図１】本発明の第一の実施例による電磁シールド板の斜視図。
【図２】本発明の実施形態による回路基板収容体の斜視図。
【図３】本発明の第ニの実施例による電磁シールド板の斜視図。
【図４】本発明の第三の実施例による電磁シールド板の斜視図。
【図５】本発明の第四の実施例による電磁シールド板の斜視図。
【符号の説明】
【００２６】
１…電磁遮蔽部材、２…ハンドル、３…フロントパネル、４…電磁シールド板、６…筐体、７…回路基板、８…バックボード、９…ガイドレール、１０…板状部材、１１…板状部材、１２…電磁遮蔽シート、１４…取付金具。
【図１】
2004363581.tif 000003
【図２】
2004363581.tif 000004
【図３】
2004363581.tif 000005
【図４】
2004363581.tif 000006
【図５】
2004363581.tif 000007